(57)【要約】【課題】透過光量を電気的に制御できる、切断整形可能な液晶素子を提供することを課題とする。また、当該素子において、当該素子において、着色状態の遮光性を向上させることを課題とする。【解決手段】透明導電膜が対向するように配置された２枚の透明導電膜付き基板と、前記２枚の透明導電膜付き基板の間に挟持された液晶−高分子複合膜とを備え、前記液晶−高分子複合膜が、親水性の高分子マトリクスと、前記高分子マトリクスに液晶組成物が囲まれた液晶領域とを有する液晶素子であって、前記高分子マトリクスは水溶性染料を含有し、前記液晶組成物は油溶性の二色性染料を含有し、前記液晶−高分子複合膜は電圧の印加により透明状態と着色状態を切り替えることができる液晶素子により解決する。【選択図】なし【特許請求の範囲】
【請求項１】
透明導電膜が対向するように配置された２枚の透明導電膜付き基板と、前記２枚の透明
導電膜付き基板の間に挟持された液晶−高分子複合膜とを備え、
前記液晶−高分子複合膜が、親水性の高分子マトリクスと、前記高分子マトリクスに液
晶組成物が囲まれた液晶領域とを有する液晶素子であって、
前記高分子マトリクスは水溶性染料を含有し、
前記液晶組成物は油溶性の二色性染料を含有し、
前記液晶−高分子複合膜は電圧の印加により透明状態と着色状態を切り替えることがで
きる液晶素子。
【請求項２】
前記水溶性の染料が直接染料、酸性染料、塩基性染料、媒染染料、アゾイック染料、硫
化染料、建染染料、分散染料、反応染料及び食品用染料からなる群より選択される少なく
とも１つを含有する、請求項１に記載の液晶素子。
【請求項３】
前記油溶性の二色性染料がアントラキノン染料及び／またはアゾ染料を含有するもので
ある、請求項１に記載の液晶素子。
【請求項４】
前記水溶性の染料の高分子マトリクスに対する含有量が、０．１重量％以上２０重量％
以下である、請求項１に記載の液晶素子。
【請求項５】
前記油溶性の二色性染料の液晶組成物に対する含有量が、０．１重量％以上２０重量％
以下である、請求項１に記載の液晶素子。
【請求項６】
前記液晶組成物がネマチック液晶またはカイラルネマチック液晶である、請求項１に記
載の液晶素子。
【請求項７】
前記高分子マトリクスがポリウレタン、ポリアクリル、ポリビニルアルコール及びこれ
らの変性体からなる群より選択される少なくとも１つを含有するものである、請求項１に
記載の液晶素子。
【請求項８】
前記着色状態の全光線透過率が０．１％以上４０％以下である、請求項１に記載の液晶
素子。
【請求項９】
水を含有する媒体に液晶組成物が分散したエマルジョン組成物であって、
前記媒体は、高分子が分散又は溶解したものであり、
前記媒体は水溶性の染料を含有し、
前記液晶組成物は、油溶性の二色性染料を含有するエマルジョン組成物。
【請求項１０】
前記水溶性の染料が直接染料、酸性染料、塩基性染料、媒染染料、アゾイック染料、硫
化染料、建染染料、分散染料、反応染料及び食品用染料からなる群より選択される少なく
とも１つを含有する、請求項９に記載のエマルジョン組成物。
【請求項１１】
前記油溶性の二色性染料がアントラキノン染料及び／またはアゾ染料を含有するもので
ある、請求項９に記載のエマルジョン組成物。
【請求項１２】
前記水溶性の染料の高分子に対する含有量が、０．１重量％以上２０重量％以下である
、請求項９に記載のエマルジョン組成物。
【請求項１３】
前記油溶性の二色性染料の液晶組成物に対する含有量が、０．１重量％以上２０重量％
以下である、請求項９に記載のエマルジョン組成物。
【請求項１４】
前記液晶組成物がネマチック液晶またはカイラルネマチック液晶である、請求項９に記
載のエマルジョン組成物。
【請求項１５】
前記高分子がポリウレタン、ポリアクリル及びポリビニルアルコールからなる群より選
択される少なくとも１つを含有するものである、請求項９に記載のエマルジョン組成物。
【発明の詳細な説明】
【技術分野】
【０００１】
本発明は、液晶素子及びエマルジョン組成物に関する。詳しくは、透明状態と着色状態
の切り替えができる液晶素子及び該液晶素子に用いることのできるエマルジョン組成物に
関する。
【背景技術】
【０００２】
近年、ガラスの透明度を電気的に切り替えることができるスマートガラスの需要が大き
くなってきている。スマートガラスに用いられる調光材としては、液晶方式、エレクトロ
クロミック方式、ＳＰＤ（Ｓｕｓｐｅｎｄ  Ｐａｒｔｉｃｌｅ  Ｄｅｖｉｃｅ）方式等が
提案されている。この中でも、液晶方式は応答時間が圧倒的に短く、利用者にストレスを
感じさせないために注目されている。
【０００３】
液晶方式の中でも、ＰＤＬＣ（Ｐｏｌｙｍｅｒ  Ｄｉｓｐｅｒｓｅｄ  Ｌｉｑｕｉｄ  
Ｃｒｙｓｔａｌｓ）が広く知られている（非特許文献１）。ＰＤＬＣは粒子状の液晶が高
分子マトリクスに分散した液晶−高分子複合膜が、２枚の透明導電基板に挟まれた構造を
持つ。
【０００４】
ＰＤＬＣの中でもノーマルモード駆動が最も一般的である。ノーマルモード駆動のＰＤ
ＬＣに対して、電圧を印加していない状態では、液晶分子が高分子マトリクスの壁面に沿
って配向し、液晶領域と高分子マトリクスとで屈折率の不一致が生じる。この不一致によ
り光散乱を起こして白濁することで、目隠しとして機能する。一方、ＰＤＬＣに電圧を印
加した場合、液晶分子が電界方向へ配向することにより、液晶領域と高分子マトリクスと
で屈折率が一致し、光を透過して透明になる。
【０００５】
ＰＤＬＣは、電車、自動車等の車両、ビジネスビル、病院等の建物の窓、扉、間仕切り
等において、意匠性やプライバシーの保護等を目的とした調光シャッターとして実用化さ
れている。また、文字や図形を表示する表示装置としても用いられている。
【０００６】
ＰＤＬＣは前述の液晶−高分子複合膜の構造により可撓性を持つために、フィルム素子
にすることができる。加えて、フィルム素子を切断整形することが可能である。このよう
な特徴を生かし、利用者が簡単にガラスに貼りつけ施工することができる。
【０００７】
ところで、近年、省エネ志向の高まりから、スマートガラスを窓に活用し、室内に入る
日射量を制御することで冷暖房負荷を減らす試みがなされている。ところがＰＤＬＣの場
合、光散乱の有無を切り替えることができるものの、散乱はほとんどが前方散乱であるた
め光が素子を透過してしまう。そのため、透過光量をほとんど制御できず、省エネに寄与
できない。
【０００８】
特許文献１〜３には、二色性染料を液晶中に添加したゲストホスト液晶方式のスマート
ガラスが開示されている。ゲストホスト液晶方式は液晶素子の吸光度を電気的に切り替え
ることにより透明状態と着色状態を切り替える方式であるため、透過光量を制御すること
ができる。
【０００９】
特許文献４〜５には、ＰＤＬＣとゲストホスト液晶を組み合わせたゲストホストＰＤＬ
Ｃが開示されており、透過光量を制御可能なフィルム素子が期待されている。
【００１０】
特許文献４では、液晶−高分子複合膜を光重合による重合誘起相分離により製造してい
る。ところが液晶中の二色性染料が光重合を阻害してしまい、高分子マトリクスの硬化不
良が起こるため、液晶素子の信頼性に問題がある。この問題は、特に液晶素子の遮光性を
高くしようとする場合、特に問題となる。
【００１１】
特許文献５では、液晶−高分子複合膜を水系のエマルジョン組成物を用いて製造してい
る。このエマルジョン組成物を用いた製造法は、特許文献４の重合誘起相分離による製造
法と比べ、所望の膜構造を得ることが容易であり、かつ高分子マトリクスの硬化不良に由
来する信頼性の低下が生じない利点がある。そのため、より遮光性を高くした液晶素子を
得ることができる。
【先行技術文献】
【特許文献】
【００１２】
【特許文献１】特開２０１６−５１０９０７号公報
【特許文献２】特開２０１６−５３６６３４号公報
【特許文献３】特開２０１７−５１１８９５号公報
【特許文献４】特開２０１１−１９０３１４号公報
【特許文献５】特開昭６０−２５２６８７号公報
【非特許文献】
【００１３】
【非特許文献１】Ｄ．Ａ．Ｈｉｇｇｉｎｓ，  Ａｄｖａｎｃｅｄ  Ｍａｔｅｒｉａｌｓ  ２０００，  １２，  Ｎｏ．  ４
【発明の概要】
【発明が解決しようとする課題】
【００１４】
特許文献５のエマルジョン組成物を用いた液晶素子の製造法であっても、従来技術では
太陽光のような強い光を遮るためには遮光性が十分ではなかった。その原因は２点あり、
液晶素子中の高分子マトリクスが透明であるために、高分子マトリクスを通って光漏れが
生じるためと、液晶組成物中の二色性染料が高分子マトリクスへ溶出し、液晶領域が十分
に光を吸収できなくなるためである。この問題を解決するために、液晶−高分子複合膜を
厚くする方法があるが、駆動電圧が高くなる上に、液晶素子のダイナミックレンジ（透明
時と着色時の透過率の差）が小さくなってしまい、好ましい方法ではない。また、液晶素
子の外側に光学フィルタ等の着色膜を取り付けることで駆動電圧を変えずに遮光性を高く
することができるが、液晶素子のダイナミックレンジが小さくなってしまい、これも好ま
しい方法ではない。
【課題を解決するための手段】
【００１５】
本発明者は、検討の結果、高分子マトリクスを水溶性染料によって着色し、且つ液晶領
域の液晶組成物が油溶性の二色性染料を含有することにより、液晶素子のダイナミックレ
ンジを維持しつつ、遮光性を高められることを見出し、本発明を完成させた。即ち、本発
明の要旨は、以下に存する。
【００１６】
[１]透明導電膜が対向するように配置された２枚の透明導電膜付き基板と、前記２枚の透
明導電膜付き基板の間に挟持された液晶−高分子複合膜とを備え、
前記液晶−高分子複合膜が、親水性の高分子マトリクスと、前記高分子マトリクスに液晶
組成物が囲まれた液晶領域とを有する液晶素子であって、
前記高分子マトリクスは水溶性染料を含有し、
前記液晶組成物は油溶性の二色性染料を含有し、
前記液晶−高分子複合膜は電圧の印加により透明状態と着色状態を切り替えることができ
る液晶素子。
【発明の効果】
【００１７】
本発明によれば、透過光量を電気的に制御できる、切断整形可能な液晶素子が提供され
る。また、当該素子において、高い遮光性と広いダイナミックレンジを両立する。
【００１８】
本発明の液晶素子は、透明導電膜が対向するように配置された２枚の透明導電膜付き基
板と、前記２枚の透明導電膜付き基板の間に挟持された液晶−高分子複合膜とを備え、前
記液晶−高分子複合膜が、親水性の高分子マトリクスと、前記高分子マトリクスに液晶組
成物が囲まれた液晶領域とを有する液晶素子であって、前記高分子マトリクスは水溶性の
染料を含有し、前記液晶組成物は油溶性の二色性染料を含有し、前記液晶−高分子複合膜
は電圧の印加により透明状態と着色状態を切り替えることができる。
なお、本明細中の水溶性とは、１−オクタノールと水との間の分配係数が１以下である
ことを意味し、本明細中の油溶性とは、１−オクタノールと水との間の分配係数が１より
大きいことを意味する。１−オクタノールと水との間の分配係数は、ＯＥＣＤテストガイ
ドライン１０７（フラスコ振とう法、分配係数が−２〜４の場合）またはＯＥＣＤテスト
ガイドライン１１７（高速液体クロマトグラフィー法、分配係数が０〜６の場合）によっ
て測定することができる。
【００１９】
前記液晶−高分子複合膜が、高分子マトリクスと前記高分子マトリクスに液晶組成物が
囲まれた液晶領域とを有することで、可撓性を有する切断整形可能な液晶素子となる。前
記液晶組成物は油溶性の二色性染料を含有することで親水性である高分子マトリクスへの
二色性染料の溶出を防ぐことができ、前記液晶領域が着色状態において十分な光吸収能を
示すことができる。また、高分子マトリクスが水溶性の染料を含有することで水溶性の染
料が高分子マトリクスを通過する光を吸収し、高分子マトリクスからの光漏れを防ぐこと
ができ、遮光性を高くすることができるとともに、ダイナミックレンジを広く保つことが
できる。このため、着色状態の液晶−高分子複合膜は太陽光のような強い光に対しても室
内に侵入する光の量を十分に低減することができ、透明時には十分な視界を確保すること
ができる。
【００２０】
本発明の液晶素子は、上記の特性から、窓、スクリーン、ディスプレイ等に有用である
。例えば、建物及び乗り物の窓、パーテーション等に視野遮断素子として用いることがで
きる。また、公告板、ショーウインドウ、コンピューター端末、プロジェクション等のデ
ィスプレイとして利用することができる。
【発明を実施するための形態】
【００２１】
以下に本発明について詳細に説明するが、以下の説明は、本発明の実施の形態の一例で
あり、本発明はその要旨を超えない限り、以下の記載内容に限定されるものではなく、本
発明の要旨を逸脱しない範囲において、任意に変形して実施することができる。
【００２２】
＜液晶素子＞
本発明の液晶素子は、透明導電膜が対向するように配置された２枚の透明導電膜付き基
板と、前記２枚の透明導電膜付き基板の間に挟持された液晶−高分子複合膜とを備え、前
記液晶−高分子複合膜が、親水性の高分子マトリクスと、前記高分子マトリクスに液晶組
成物が囲まれた液晶領域とを有する液晶素子であって、前記液晶−高分子複合膜は電圧の
印加により透明状態と着色状態を切り替えることができ、前記高分子マトリクスは水溶性
の染料を含有し、前記液晶組成物は油溶性の二色性染料を含有する
液晶−高分子複合膜は、電圧無印加時に透明状態であり、電圧印加時に着色状態であっ
てもよく、電圧印加時に透明状態であり、電圧無印加時に着色状態であってもよい。また
、透明状態と着色状態を切り替えるときにだけ電圧印加を必要とするメモリ性を有してい
てもよい。
なお、本発明において電圧とは、閾値以上の実効値を持つ、直流電圧、交流電圧、パル
ス電圧又はそれらの組み合わせを表す。
【００２３】
本発明において、透明状態とは、上記電圧印加時又は電圧無印加時の液晶−高分子複合
膜の状態を表し、電圧印加時と電圧無印加時において、液晶−高分子複合膜の全光線透過
率が大きい方を透明状態とする。
また、本発明において、着色状態とは、上記電圧印加時又は電圧無印加時の液晶−高分
子複合膜の状態を表し、電圧印加時と電圧無印加時において、液晶−高分子複合膜の全光
線透過率が小さい方を透明状態とする。
【００２４】
〔液晶−高分子複合膜〕
本発明の液晶素子が含む液晶−高分子複合膜は、親水性の高分子マトリクスと、前記高
分子マトリクスに液晶組成物が囲まれた液晶領域とを有する。このような液晶−高分子複
合膜は、一般にＰＤＬＣとして知られている。
液晶−高分子複合膜は、高分子マトリクスと、前記高分子マトリクスに液晶組成物が囲
まれた液晶領域とを有することで、液晶素子が可撓性を有する。また、このような構造を
持つことで、液晶素子を切断しても液晶組成物の漏洩が最小限に留められ、加えて高分子
マトリクスが酸素や水分等の劣化要因から液晶組成物を保護するため、切断整形が可能と
なる。
【００２５】
液晶領域は高分子マトリクス中に分散していても良く、規則的に配列していてもよい。
液晶領域の形状としては、真球、回転楕円体、円柱、三角柱、四角柱、六角柱等の多角柱
のいずれでも良く、またこれらの形状が歪であってもよい。これらの中でも、真球、回転
楕円体、円柱、正三角柱、正四角柱、正六角柱等の正多角柱が液晶−高分子複合膜の光散
乱が弱くなり、着色時の二色性染料の光吸収が大きくなるとともに、透明状態のヘーズが
小さくなる傾向があるため好ましい。
【００２６】
液晶領域のサイズとしては、膜面から観察した際に、平均粒径が２μｍ以上であること
が好ましく、５μｍ以上であることがより好ましい。また、５０μｍ以下であることが好
ましく、３０μｍ以下であることがより好ましい。平均粒径が上記下限値より大きいこと
で、液晶−高分子複合膜の光散乱が弱くなり、透明状態のヘーズが小さくなる傾向がある
。同時に着色状態の液晶−高分子複合膜の光散乱も弱くなることで、二色性染料の光吸収
の効率が向上し、より全光線透過率が低くなる傾向がある。平均粒径が上記上限値より小
さいことで、液晶領域の粒状感が無くなってゆき、液晶素子の外観の均一性が良好になる
傾向がある。なお、平均粒径は個数基準のメディアン径とする。
膜面から観察した際に、液晶領域の形状が円ではなく、楕円、三角形、四角形、六角形
等の多角形、又はこれらの形状が歪である場合、粒径は最小包含円の直径を参照すればよ
い。
【００２７】
前記液晶領域の変動係数が個数基準の粒度分布において、平均粒径（ｍ）と正規分布の
標準偏差（σ）に対し、変動係数（ＣＶ）をＣＶ＝σ／ｍとする。
変動係数は、０．８以下であることが好ましく、０．５以下であることが好ましく、０
．３以下がより好ましく、０．１以下がさらに好ましい。変動係数が上記上限値以下であ
ることで、散乱を起こす小粒子及び粒状感を生じさせる大粒子が十分少なくなる傾向にあ
る。一方、変動係数が０．００１以上であることが好ましく、０．００５以上がより好ま
しく、０．０１以上がさらに好ましい。変動係数が上記下限値以上であることで、エマル
ジョン組成物の生産性が向上する傾向にある。
【００２８】
液晶領域の個数基準の粒径頻度分布において、粒径２μｍ以下は累積２０％以下である
ことが好ましく、累積１０％以下がより好ましく、累積５％以下がさらに好ましい。上記
上限値以下であることで、液晶−高分子複合膜の光散乱が弱くなり、着色状態の二色性染
料の光吸収が大きくなるとともに、透明状態のヘーズが小さくなる傾向がある。
一方、累積０．１％以上であることが好ましく、累積０．５％以上がより好ましく、累
積１％以上がさらに好ましい。上記下限値以上であることで、エマルジョン組成物の生産
性が向上する傾向にある。
また、粒径５０μｍ以上は累積２０％以下が好ましく、累積１０％以下がより好ましく
、累積５％以下がさらに好ましい。上記上限値以下であることで、液晶領域の粒状感が無
くなってゆき、液晶素子の外観の均一性が良好になる傾向がある。一方、累積０．１％以
上であることが好ましく、累積０．５％以上がより好ましく、累積１％以上がさらに好ま
しい。上記下限値以上であることで、エマルジョン組成物の生産性が向上する傾向にある
。
【００２９】
〔液晶組成物〕
本発明の液晶組成物は、油溶性の二色性染料を含有する液晶を含有する。このような液
晶組成物は、一般的にゲストホスト液晶として知られている。
特に限定はされないが、液晶組成物の二色性染料の含有量は３％以上であることが好ま
しく、４％以上であることがより好ましく、５％以上であることがさらに好ましい。また
、液晶組成物の二色性染料の含有量は２０％以下であることが好ましく、１５％以下であ
ることがより好ましく、１２％以下であることがさらに好ましい。
上記下限値以上であることで、液晶素子が着色状態により大きな光吸収を示し、透過光
量が小さくなる傾向にある。また、上記上限値以下であることで、二色性染料の分離や析
出が生じにくくなり、液晶素子の信頼性が向上する傾向にある。
【００３０】
液晶組成物の誘電率異方性（Δε）は正の場合と負の場合、双方に適用できる。正の場
合、電圧無印加時に着色状態で電圧印加時に透明状態のノーマルモードとなる。負の場合
、電圧無印加時に透明状態で電圧印加時に着色状態のリバースモードとなる。
液晶組成物の屈折率異方性（Δｎ）は、０．０１以上であることが好ましく、０．０２
以上がより好ましく、０．０３以上がさらに好ましい。また、０．２４以下であることが
好ましく、０．１５以下であることがより好ましく、０．１以下であることがさらに好ま
しい。Δｎが上記上限値以下であることで、高分子マトリクスと液晶領域との界面での光
散乱が低減され、透明状態のヘーズを低減できる傾向にある。また、同時に着色状態の光
散乱も低減されるため、二色性染料の光吸収の効率が向上し、着色状態においては全光線
透過率を低くできる傾向にある。一方、Δｎが上記下限値以上であることで、液晶組成物
のオーダーパラメータが大きくなる傾向がある。
【００３１】
液晶組成物に使用する液晶としては、ネマチック液晶、コレステリック液晶、スメクチ
ック液晶等が使用できる。安価に利用できることを鑑みると、ネマチック液晶又はコレス
テリック液晶が好ましい。また、ネマチック液晶にカイラル剤を添加してコレステリック
液晶にしてもよい。コレステリック液晶を使用する場合、カイラルピッチｐをｐ＜２ｍの
範囲にすることで、二色性染料の光吸収の効率を高くし、着色状態の遮光性を向上するこ
とができる。また０．５ｍ＜ｐ＜１．５ｍの範囲にすることで、メモリ性を付与すること
ができる。
【００３２】
液晶として公知の液晶性物質を用いる場合、具体的には日本学術振興会第１４２委員会
編；「液晶デバイスハンドブック」日本工業新聞社（１９８９年）、第１５２頁〜第１９
２頁及び液晶便覧編集委員会編；「液晶便覧」丸善株式会社（２０００年）、第２６０頁
〜第３３０頁に記載されているようなビフェニル系、フェニルシクロヘキサン系、シクロ
ヘキシルシクロヘキサン系等の各種低分子系の化合物又は混合物を使用することができる
。また、液晶便覧編集委員会編；「液晶便覧」丸善株式会社（２０００年）、第３６５頁
〜第４１５頁に記載されているような高分子系化合物又は混合物を使用することもできる
。ネマチック液晶を構成する化合物としては例えば、以下の化合物等が挙げられる。
【００３３】
【化１】
2020126091.tif 000002
【００３４】
ネマチック液晶及びコレステリック液晶としては粘度が低く、誘電率異方性の高いもの
が、液晶素子の高速応答性やエマルジョンの製造性の点で好ましい。
カイラル剤としては、ホスト液晶へ相溶するカイラル化合物であればいずれでもよく、
合成品でも市販品でよい。また、自身が液晶性を示すものでもよいし、重合性の官能基を
有していてもよい。さらに、右旋性でも左旋性でもよく、右旋性のカイラル剤と左旋性の
カイラル剤を併用してもよい。
また、カイラル剤としては、それ自身の誘電異方性が正に大きく、粘度の低いものが液
晶素子の駆動電圧低減及び応答速度の観点から好ましく、カイラル剤が液晶をねじる力の
指標とされるＨｅｌｉｃａｌ  Ｔｗｉｓｔｉｎｇ  Ｐｏｗｅｒが大きいほうが好ましい。
カイラル剤としては、例えばＣＢ１５（商品名  メルク社製）、Ｃ１５（商品名  メル
ク社製）、Ｓ−８１１（商品名  メルク社製）、Ｒ−８１１（商品名  メルク社製）、Ｓ
−１０１１（商品名  メルク社製）、Ｒ−１０１１（商品名  メルク社製）等が挙げられ
る。
【００３５】
液晶組成物には、本発明の液晶素子の性能を損なわない範囲で、添加剤を含有していて
もよい。具体的には高分子前駆体、重合開始剤、光安定剤、抗酸化剤、増粘剤、重合禁止
剤、光増感剤、接着剤、消泡剤、界面活性剤等を有していてもよい。
【００３６】
[二色性染料〕
液晶組成物に使用する油溶性の二色性染料としては、ホスト液晶へ相溶する二色性染料
化合物であればいずれでもよく、Δεが正の二色性染料でも負の二色性染料でもよい。ま
た、自身が液晶性を示すものでもよい。
具体的にはアゾ系染料、アントラキノン系染料、ナフトキノン系染料、ペリレン系染料
、キノフタロン系染料、テトラジン系染料、ベンゾチアジアゾール系染料等が挙げられる
。公知の二色性染料を用いる場合、日本学術振興会第１４２委員会編；「液晶デバイスハ
ンドブック」日本工業新聞社（１９８９年）、第１９２頁〜第１９６頁及び第７２４頁〜
第７３０頁に記載されているようなアゾ系染料、アントラキノン系染料又はこれらの混合
物を使用することができる。これらのなかでも、アントラキノン系染料またはアゾ系染料
を含むことが、吸光係数が大きく、液晶への溶解度が大きくなり、耐光性が高くなる傾向
になるため好ましい。
二色性染料は１種類でもよく、複数種を混合して用いてもよい。特に限定はないが、好
ましくは二色性染料のうち、アントラキノン系またはアゾ系を２０質量％以上含むことが
好ましく、５０質量％以上含むことが好ましい。
【００３７】
液晶組成物を構成する二色性染料の具体例としては、例えば以下の化合物等が挙げられ
る。
【００３８】
【化２】
2020126091.tif 000003
【００３９】
上記化合物中、Ｘは各々独立に、−ＮＨ−又は−Ｓ−を示し、ｎは０又は１を示し、Ａ
ｒは、フェニレン基又はナフチレン基を示す。
Ｒは、水素原子、アルキル基、アルコキシ基、これらの置換基を有してもよいシクロヘ
キシル基、フェニル基、フェニルシクロヘキシル基又はシクロヘキシルシクロヘキシル基
を示す。
【００４０】
本発明の油溶性の二色性染料の液晶組成物に対する含有量は、０．１重量％以上である
ことが好ましく、さらに好ましくは０．５重量％以上である。また、２０重量％以下であ
ることが好ましく、１０重量％以下がさらに好ましい。
水溶性の染料の高分子マトリクスに重量％以上対する含有量は、０．１重量％以上が好
ましく、０．５重量％以上がさらに好ましい。０．１重量％以上であることで、高分子マ
トリクスからの漏れ光を低減でき、遮光性が向上する傾向がある。一方２０重量％以下で
あることが好ましく、１０重量％以下がさらに好ましい。上記上限値以下であることで、
ダイナミックレンジを広く保つことができる傾向にある。
【００４１】
[高分子マトリクス〕
本発明の高分子マトリクスは、親水性の高分子を使用する。親水性であれば特に限定さ
れないが、屈折率が液晶組成物の常光屈折率（ｎｏ）と一致するように選択することが好
ましい。典型的には液晶組成物のｎｏは１．５前後であるので、１．４５以上１．５５以
下が好ましい。
高分子マトリクスを構成する高分子としては、ゼラチン、アラビアゴム等の天然高分子
；ポリビニルアルコール、ポリウレタン、ポリウレア、ポリアクリル、ポリアミン、ポリ
アミド、ポリエチレン、ポリプロピレン、ポリスチレン、ポリアクリロニトリル等の合成
高分子及びそれらの変性体；メタクリレート／アクリロニトリル、ウレタン／アクリレー
ト、アクリレート／アクリロニトリル等の共重合体；等を用いてもよい。また、架橋剤を
用いて高分子に架橋構造を導入してもよい。
高分子は水への分散性又は溶解性が高いことが好ましく、ゼラチン、ポリビニルアルコ
ール、ポリウレタン、ポリウレア、ポリアクリル、ポリアミン及びそれらの変性体が好ま
しい。さらに好ましくは、ポリビニルアルコール、ポリウレタン、ポリアクリル及びそれ
らの変性体からなる群より選択される少なくとも１つであり、特に好ましくはポリウレタ
ン、ポリアクリル及びそれらの変性体からなる群より選択される少なくとも１つである。
なお、高分子は１種類のみでもよいし、２種類以上を混合して用いてもよい。
【００４２】
ポリウレタンはポリイソシアネートとポリオールのそれぞれの骨格により分類されてい
る。ポリイソシアネート骨格としては、脂肪族炭素骨格からなる脂肪族系ポリウレタンや
、ポリイソシアネートに芳香環を含有する芳香族系ポリウレタンが挙げられる。中でも脂
肪族系ポリイソシアネートが耐光性が高い点で好ましい。ポリオール骨格としては、ポリ
エーテル系、ポリエステル系、ポリカーボネート系が挙げられ、中でもポリエーテル系が
、膜の密着性が良好であり好ましい。
【００４３】
ポリアクリルは種々のアクリレートの重合体から成り、アクリルモノマーとしては、以
下の化合物等が挙げられる。
【００４４】
【化３】
2020126091.tif 000004
【００４５】
上記化合物中、Ｘ１は各々独立に、水素原子またはメチル基を示し、
Ｒ１は水素原子、ハロゲン原子、ヒドロキシル基、炭素数１以上２０以下の置換基を有
していてもよい直鎖状もしくは分枝状アルキル基、炭素数１以上２０以下の置換基を有し
ていてもよい直鎖状もしくは分枝状アルコキシ基、炭素数１以上１０以下の置換基を有し
てもよい環状炭化水素基を示す。
【００４６】
ポリアクリルはアクリレート以外のモノマーと共重合しても良く、共重合体としては、
アクリレート−スチレン、アクリレート−酢酸ビニル、アクリレート−アクリロニトリル
、アクリレート−ウレタン、アクリレート−エステル、アクリレート−シリコーン等が挙
げられる。主鎖をアクリレートと他のモノマーとの共重合体で構成してもよいし、ポリア
クリル主鎖に他のポリマーをグラフトさせてもよい。
【００４７】
本発明の高分子マトリクスは、水溶性の染料を含有する。水溶性の染料を含有すること
で、高分子マトリクスを着色することにより、高分子マトリクスから漏れる光を吸収し、
液晶素子のダイナミックレンジを維持しつつ、遮光性を高めることができる。水溶性の染
料としては、分配係数が１以下である染料であれば特に限定されない。
【００４８】
水溶性の染料の具体例としては、直接染料、酸性染料、塩基性染料、媒染染料、アゾイ
ック染料、硫化染料、建染染料、分散染料、反応染料及び食品用染料が挙げられ、これら
からなる群より選択される少なくとも１つであることが好ましい。この中でも直接染料、
酸性染料、塩基性染料、アゾイック染料、硫化染料反応染料からなる群より選択される少
なくとも１つが水への溶解度が高く、堅ロウ度が良好であるため好ましい。具体的な化合
物としては、有機合成化学協会編；「染料便覧」丸善株式会社（１９５９年）、第３０７
頁〜第８３２頁に記載されている染料が挙げられる。
【００４９】
水溶性の染料としては、水への溶解度が高い染料が遮光性を高くする点から好ましく、
溶解度が０．５重量％以上であることが好ましく、さらに好ましくは１．０重量％以上で
ある。一方、水への溶解度が５０重量％以下であると、染料の吸湿性が低く、製造が容易
になるため好ましく、さらに好ましくは３０重量％以下である。
【００５０】
水溶性の染料は１種類でもよく、複数種を混合して用いてもよい。特に限定はないが、
好ましくは水溶性の染料のうち、直接染料、酸性染料、塩基性染料、アゾイック染料、硫
化染料、反応染料のうちいずれか１種以上を２０質量％以上含むことが好ましく、５０質
量％以上含むことが好ましい。
【００５１】
水溶性の染料の高分子マトリクスに重量％以上対する含有量は、０．１重量％以上が好
ましく、０．５重量％以上がさらに好ましい。０．１重量％以上であることで、高分子マ
トリクスからの漏れ光を低減でき、遮光性が向上する傾向がある。一方、含有量は２０重
量％以下であることが好ましく、１０重量％以下がさらに好ましい。上記上限値以下であ
ることで、ダイナミックレンジを広く保つことができる傾向にある。
【００５２】
高分子マトリクスには、本発明の液晶素子の性能を損なわない範囲で、低分子を含有し
ていてもよい。具体的には光安定剤、抗酸化剤、増粘剤、重合禁止剤、光増感剤、接着剤
、消泡剤、界面活性剤等が挙げられる。
【００５３】
［液晶組成物と高分子マトリクスの比］
本発明の液晶−高分子複合膜において、高分子マトリクスの全質量に対し、液晶組成物
の全質量を１とすると、０．５以上であることが好ましく、１以上であることがより好ま
しい。また、４以下であることが好ましく、３以下であることがより好ましい。高分子マ
トリクスの全質量に対し、液晶組成物の全質量が上記下限値以上であることで、透明状態
のヘーズが低く、かつ駆動電圧が低くなる傾向がある。また、高分子マトリクスの全質量
に対し、液晶組成物の全質量が上記上限値以下であることで、液晶−高分子複合膜の耐衝
撃性及び密着性が向上する傾向がある。
【００５４】
［液晶素子の構成例］
本発明の液晶素子の代表的な構成を以下に説明する。しかし、これらに限定されるもの
ではない。
【００５５】
[基板]
基板の材質としては、例えば、ガラスや石英等の無機透明物質、金属、金属酸化物、半
導体、セラミック、プラスチック板、プラスチックフィルム等の無色透明のものが挙げら
れる。これらの基板を単板で用いても、複数積層してもよい。
また、基板にはキズや汚れから守る目的でハードコート層や特定波長域の光線を遮断す
るシャープカット層やバンドパス層を付与してもよい。
【００５６】
[透明導電膜]
電極は、上記基板の上に、例えば、金属酸化物、金属、半導体、有機導電物質等の薄膜
を基板全面或いは部分的に、既知の塗布法や印刷法やスパッタ等の蒸着法等により形成さ
れる。また、導電性の薄膜形成後に部分的にエッチングしたものでもよい。特に大面積の
液晶素子を得るためには、生産性及び加工性の面からＰＥＴ等の透明高分子フィルム上に
ＩＴＯ（酸化インジウムと酸化スズの混合物）電極をスパッタ等の蒸着法や印刷法等を用
いて形成した電極基板を用いることが望ましい。なお、基板上に電極間或いは電極と外部
を結ぶための配線が設けられていてもよい。例えば、セグメント駆動用電極基板やマトリ
ックス駆動用電極基板、アクティブマトリックス駆動用電極基板等であってもよい。
【００５７】
更に、基板上に設けられた電極面上が、ポリイミドやポリアミド、シリコン、シアン化
合物等の有機化合物、ＳｉＯ２、ＴｉＯ２、ＺｒＯ２等の無機化合物、又はこれらの混合
物よりなる保護膜や配向膜で全面或いは一部が覆われていてもよい。なお、基板は、液晶
を基板面に対して配向させるよう配向処理されていてもよく、配向処理されている場合、
例えば、２枚の基板ともホモジニアス配向又はホメオトロピック配向であってもよいし、
一方がホモジニアス配向で、他方がホメオトロピック配向である、いわゆるハイブリッド
であっても構わない。これらの配向処理には、電極表面を直接ラビングしてもよく、ＴＮ
液晶、ＳＴＮ液晶等に用いられるポリイミド等の通常の配向膜を使用してもよいし、光配
向処理を施してもよい。
【００５８】
対向する基板は、周辺部に適宜、基板を接着支持する樹脂体を含む接着層を有してもよ
い。
本発明における液晶素子の端部あるいは切断面を、粘着テープ、熱圧着テープ、熱硬化
性テープ等のテープ類、熱硬化性樹脂、光硬化性樹脂、湿気硬化型樹脂、室温硬化型接着
剤、嫌気性接着剤、エポキシ系接着剤、シリコ−ン系接着剤、フッ素樹脂系接着剤、ポリ
エステル系接着剤、塩化ビニル系接着剤等の硬化性樹脂類や熱可塑性樹脂類等で封止する
ことで、内部の液晶組成物等の染み出しを防ぐことができる。また、この封止により、液
晶素子の劣化を防ぐ効果が得られる場合もある。その際の端面の保護法としては、端面を
全体に覆ってもよいし、端部から液晶素子内部に硬化性樹脂類や熱可塑性樹脂類を流し込
み固化させてもよく、更にこの上をテープ類で覆ってもよい。
【００５９】
対向配置される基板間には、球状又は筒状のガラス、プラスチック、セラミック、ある
いはプラスチックフィルム等のスペーサーを存在させてもよい。スペーサーは、本発明の
エマルジョン組成物の成分として含有させることで、基板間の液晶−高分子複合膜に存在
させてもよく、液晶素子組み立ての際に基板上に散布したり、接着剤と混合して接着層の
中に存在させたりしてもよい。
【００６０】
〔液晶−高分子複合膜の製造法〕
本発明の液晶−高分子複合膜は、電極基板上にエマルジョン組成物を塗布し、乾燥させ
ることで製造することができる。塗布方法としては、バーコート、ブレードコート、ナイ
フコート、ダイコート、スクリーンコート、マイクログラビアロールコート、リバースロ
ールコート、キスロールコート、ディップロールコート、スピンコート、スプレーコート
等、公知の塗布方法が使用できる。基板の性状に応じ、適宜基板洗浄をしてもよい。
塗布時のウェット膜厚は１０μｍ以上が好ましく、２０μｍ以上がより好ましい。また
、５０μｍ以下が好ましく、４０μｍ以下がより好ましい。ウェット膜厚が上記上限値以
上であることで、液晶粒子の粗密が無くなり、均一に塗布できる傾向がある。またウェッ
ト膜厚が上記下限値以下であることで、駆動電圧が実用的な値まで下がり、かつ透明状態
のヘーズが低くなる傾向がある。
エマルジョン組成物を塗布し、乾燥する際の乾燥温度は、４０℃以上が好ましく、６０
℃以下がより好ましい。また、１２０℃以下が好ましく、１００℃以下がより好ましい。
乾燥温度が上記下限値以上であることで、乾燥時間が実用的な時間に短縮されるとともに
、膜中に残留する水分量が少なくなることで液晶素子の信頼性が向上する傾向にある。ま
た、乾燥温度が上記上限値以下であることで、乾燥中のエマルジョン組成物の合一や逆相
化等の構造破壊が生じにくくなる傾向がある。
【００６１】
〔全光線透過率〕
本明細における全光線透過率は、ＪＩＳ  Ｋ７１３６で規定された方法で測定される。
また本明細において、光とは可視光（波長３８０ｎｍ〜７８０ｎｍ）を示すものとし、全
光線透過率は可視光領域で測定されるものとする。
【００６２】
本発明の液晶素子の着色状態の全光線透過率としては４０％以下が好ましく、より好ま
しくは３０％以下、さらに好ましくは２０％以下である。上記上限値以下であることで、
着色状態の透過光量を小さくできるために遮熱性を高くできる傾向がある。一方、０．１
％以上が好ましく、より好ましくは０．３％以上、さらに好ましくは０．５％以上である
。上記下限値以上であることで、ダイナミックレンジを広く保てる傾向がある。
【００６３】
〔ヘーズ〕
本明細におけるヘーズは、ＪＩＳ  Ｋ７１３６の方法で測定される。
【００６４】
着色状態着色状態のヘーズとしては９０％以下が好ましく、より好ましくは８０％以下
、さらに好ましくは７０％以下である。上記上限値以下であることで、着色状態の二色性
染料の光吸収を大きくすることができ、より透過光量を小さくできる傾向がある。一方、
１０％以上が好ましく、より好ましくは２０％以上、さらに好ましくは３０％以上である
。上記下限値以上であることで、外光のまぶしさをより低減できる傾向がある。
【００６５】
＜エマルジョン組成物＞
本発明のエマルジョン組成物は、水を含有する媒体に液晶組成物が分散したエマルジョ
ン組成物であって、前記媒体は、高分子が分散又は溶解したものであり、前記媒体は水溶
性の染料を含有し、前記液晶組成物は、油溶性の二色性染料を含有することを特徴とする
。
【００６６】
エマルジョン組成物に含まれる液晶組成物は特に限定されず、上述した液晶素子に用い
られる液晶組成物が挙げられる。また、エマルジョン組成物に含まれる水を含む媒体も特
には限定されず、純水又は水と有機溶媒の混合物が挙げられる。
有機溶媒の例としては、アルコール、ケトン、エーテル、エステル、カルボン酸、アミ
ン等が挙げられる。有機溶媒は水溶性でもよいし、水にわずかに溶ける程度の油溶性でも
よいが、水と均一に溶解する量を混合することが好ましい。
媒体に分散又は溶解している高分子は、ゼラチン、アラビアゴム等の天然高分子；ポリ
ビニルアルコール、ポリウレタン、ポリウレア、ポリアクリル、ポリアミン、ポリアミド
、ポリエチレン、ポリプロピレン、ポリスチレン、ポリアクリロニトリル等の合成高分子
及びそれらの変性体；メタクリレート／アクリロニトリル、ウレタン／アクリレート、ア
クリレート／アクリロニトリル等の共重合体；等が挙げられる。
高分子は水への分散性又は溶解性が高いことが好ましく、ゼラチン、ポリビニルアルコ
ール、ポリウレタン、ポリウレア、ポリアクリル、ポリアミン及びそれらの変性体が好ま
しく、さらに好ましくはポリビニルアルコール、ポリウレタン、ポリアクリル及びそれら
の変性体であり、特に好ましくはポリウレタンである。
なお、高分子は１種類のみでもよいし、２種類以上を混合して用いてもよい。
【００６７】
本発明において、高分子の分散とは、媒体中に高分子の粒子が懸濁している状態であり
、高分子の溶解とは高分子が溶媒和により十分小さく解離され、均一系をなす状態のこと
を示す。高分子の分散及び溶解に関しては、「色材」一般社団法人色材協会（２００４年
），７７巻４号，１６９〜１７６頁に詳しい。
【００６８】
エマルジョン組成物中で液晶組成物は水を含む媒体に分散しているが、液状のままで分
散していても良く、液晶組成物の周辺部を高分子、シリカ化合物、無機ナノ粒子等でカプ
セル化したマイクロカプセル液晶の形で分散していてもよい。
マイクロカプセル液晶のカプセルとなる高分子としては、ゼラチン、アラビアゴム等の
天然高分子；ポリビニルアルコール、ポリウレタン、ポリウレア、ポリアクリル、ポリア
ミン、ポリアミド、ポリエチレン、ポリプロピレン、ポリスチレン、ポリアクリロニトリ
ル等の合成高分子及びそれらの変性体；メタクリレート／アクリロニトリル、ウレタン／
アクリレート、アクリレート／アクリロニトリル等の共重合体；等が挙げられる。
【００６９】
本発明における、水を含有する媒体は水溶性の染料を含有する。水を含有する媒体に含
まれる水溶性の染料は特に限定されず、上述した液晶素子に用いられる水溶性の染料が挙
げられる。そのなかでも、直接染料、酸性染料、塩基性染料、アゾイック染料、硫化染料
、反応染料からなる群より選択される少なくとも１つが、水への溶解度が高く、堅ロウ度
が良好であるため好ましい。
水溶性の染料は１種類でもよく、複数種を混合して用いてもよい。特に限定はないが、
好ましくは水溶性の染料のうち、直接染料、酸性染料、塩基性染料、アゾイック染料、硫
化染料、反応染料のいずれか１種以上を２０質量％以上含むことが好ましく、５０質量％
以上含むことが好ましい。
【００７０】
エマルジョン組成物には、本発明の液晶素子の性能を損なわない範囲で、添加剤を含有
していてもよい。具体的には界面活性剤、乳化剤、分散剤、沈降防止剤、造膜助剤、レベ
リング剤、光安定剤、抗酸化剤、増粘剤、重合禁止剤、光増感剤、接着剤、消泡剤等が挙
げられる。
【００７１】
液晶組成物の粒子のサイズとしては、平均粒径が２μｍよ以上であることが好ましく、
５μｍ以上であることがより好ましい。また、５０μｍ以下であることが好ましく、３０
μｍ以下であることがより好ましい。平均粒径が上記下限値より大きいことで、液晶−高
分子複合膜における高分子マトリクスと液晶領域との界面での光散乱が弱くなり、透明状
態のヘーズが小さくなる傾向がある。同時に着色状態の光散乱も弱くなることで、二色性
染料の光吸収の効率が向上し、より着色状態の全光線透過率が低くなる傾向がある。
また、平均粒径が上記上限値より小さいことで、液晶領域の粒状感が低下し、液晶素子
の外観の均一性が良好になる傾向がある。なお、平均粒径は個数基準のメディアン径とす
る。
【００７２】
前記液晶組成物の個数基準の粒度分布において、平均粒径と正規分布の標準偏差σに対
し、変動係数ＣＶ＝σ／ｍとする。変動係数（ＣＶ）は、０．８以下が好ましく、０．５
以下であることが好ましく、０．３以下がより好ましく、０．１以下がさらに好ましい。
変動係数が上記上限値以下であることで、散乱を起こす小粒子及び粒状感を生じさせる大
粒子が十分少なくなる傾向にある。
一方、変動係数が上記下限値以上であることが好ましく、０．００５以上がより好まし
く、０．０１以上がさらに好ましい。変動係数が上記下限値以上であることで、エマルジ
ョン組成物の生産性が向上する傾向にある。
【００７３】
液晶領域の個数基準の粒径頻度分布において、粒径２μｍ以下は累積２０％以下である
ことが好ましく、累積１０％以下がより好ましく、累積５％以下がさらに好ましい。上記
上限値以下であることで、液晶−高分子複合膜の光散乱が弱くなり着色状態の二色性染料
の光吸収が大きくなるとともに、透明状態のヘーズが小さくなる傾向がある。
一方、累積０．１％以上であることが好ましく、累積０．５％以上がより好ましく、累
積１％以上がさらに好ましい。上記下限値以上であることで、エマルジョン組成物の生産
性が向上する傾向にある。
また、粒径５０μｍ以上は累積２０％以下が好ましく、累積１０％以下がより好ましく
、累積５％以下がさらに好ましい。上記上限値以下であることで、液晶領域の粒状感が減
少し、液晶素子の外観の均一性が良好になる傾向がある。一方、累積０．１％以上である
ことが好ましく、累積０．５％以上がより好ましく、累積１％以上がさらに好ましい。累
積上記下限値以上であることで、エマルジョン組成物の生産性が向上するので好ましい。
【００７４】
媒体に分散又は溶解している高分子の全質量に対し、液晶組成物の全質量が０．５以上
であることが好ましく、１以上であることがより好ましい。また、４以下であることが好
ましく、３以下であることがより好ましい。高分子の全質量に対し、液晶組成物の全質量
が上記下限値以上であることで、エマルジョン組成物を用いて得られる液晶素子の透明状
態のヘーズが低く、かつ駆動電圧が低くなる傾向がある。また、高分子全質量に対し、液
晶組成物の全質量が上記上限値以下であることで、エマルジョン組成物を用いて得られる
液晶素子の耐衝撃性及び密着性が向上する。
【００７５】
〔二色性染料〕
エマルジョン組成物に含まれる二色性染料は特に限定されず、上述した液晶素子に用い
られる二色性染料が挙げられる。そのなかでも、アントラキノン系染料及び／またはアゾ
系染料を含むことが、吸光係数が大きく、液晶への溶解度が大きくなり、耐光性が高くな
る傾向になるため好ましい。
二色性染料は１種類でもよく、複数種を混合して用いてもよい。特に限定はないが、好
ましくは二色性染料のうち、アントラキノン系及び／またはアゾ系を２０質量％以上含む
ことが好ましく、５０質量％以上含むことが好ましい。
【００７６】
〔エマルジョン組成物の製造法〕
本発明のエマルジョン組成物の製造法は特に限定されないが、例えば以下のように製造
することができる。
製造方法（１）油相である液晶組成物と水相である水を含有する媒体を混合し、乳化工程
を経た後に、水と水溶性の染料を含有する媒体に高分子が分散又は溶解している液を添加
する。
製造方法（２）  油相である液晶組成物と水相である水と水溶性の染料を含有する媒体に
高分子が分散又は溶解している液を混合し、乳化工程を行う。
製造方法（３）  液晶組成物の周辺部を高分子、シリカ化合物、無機ナノ粒子等でカプセ
ル化したマイクロカプセル液晶の粉体又はスラリーと水を含有する媒体を混合し、分散工
程を経た後に、水と水溶性の染料を含有する媒体に高分子が分散又は溶解している液を添
加する。
製造方法（４）  前記マイクロカプセル液晶の粉体又はスラリーと水と水溶性の染料を含
有する媒体に高分子が分散又は溶解している液を混合し、分散工程を行う。
この中でも製造方法（１）及び製造方法（３）は、混合物が低粘度の状態で乳化工程又
は分散工程を行うことができるため、低エネルギーで製造でき、さらに、液晶組成物の粒
径を制御しやすいので好ましい。
【００７７】
水を含有する媒体に高分子が分散又は溶解している液としては、市販の水性樹脂エマル
ジョンが使用できる。以下具体例を示す。
水性ウレタンエマルジョン：  ＤＳＭ社製  ＮｅｏＲｅｚ  Ｒ−９６６０、ＮｅｏＲｅ
ｚ  Ｒ−９７２、ＮｅｏＲｅｚ  Ｒ−９６３７、ＮｅｏＲｅｚ  Ｒ−９６７９、ＮｅｏＲ
ｅｚ  Ｒ−９６０、ＮｅｏＲｅｚ  Ｒ−２１７０、ＮｅｏＲｅｚ  Ｒ−９６６、ＮｅｏＲ
ｅｚ  Ｒ−９６７、ＮｅｏＲｅｚ  Ｒ−９８６、ＮｅｏＲｅｚ  Ｒ−９６０３、ＮｅｏＲ
ｅｚ  Ｒ−４０００、ＮｅｏＲｅｚ  Ｒ−９４０４、ＮｅｏＲｅｚ  Ｒ−６００、Ｎｅｏ
Ｒｅｚ  Ｒ−６５０、ＮｅｏＲｅｚ  Ｒ−１０１０、第一工業製薬社製  スーパーフレッ
クス  １２６、スーパーフレックス  １３０、スーパーフレックス  １５０、スーパーフ
レックス  １５０ＨＳ、スーパーフレックス  １７０、スーパーフレックス  ２１０、ス
ーパーフレックス  ３００、スーパーフレックス  ４２０、スーパーフレックス  ４２０
ＮＳ、スーパーフレックス  ４６０、スーパーフレックス  ４６０Ｓ、スーパーフレック
ス  ４７０、スーパーフレックス  ５００Ｍ、スーパーフレックス  ６２０、スーパーフ
レックス  ６５０、スーパーフレックス  ７４０、スーパーフレックス  ８２０、スーパ
ーフレックス  ８３０ＨＳ、スーパーフレックス  ８６０、スーパーフレックス  ８７０
、スーパーフレックス  Ｅ−２０００、スーパーフレックス  Ｅ−４８００、日華化学社
製  ネオステッカー  ２００、ネオステッカー  ４００、ネオステッカー  ７００、ネオ
ステッカー  １２００、ネオステッカー  Ｘ−７０９６、エバファノール  ＨＡ−１０７
Ｃ、エバファノール  ＨＡ−５０Ｃ、エバファノール  ＨＡ−１７０、エバファノール  
ＨＡ−５６０、エバファノール  ＨＡ−１５、エバファノール  ＡＰ−１２、エバファノ
ール  ＡＰＣ−５５。
水性アクリルエマルジョン：  ＤＳＭ社製  ＮｅｏＣｒｙｌ  Ａ−６３３、ＮｅｏＣｒ
ｙｌ  Ａ−６３９、ＮｅｏＣｒｙｌ  Ａ−６５５、ＮｅｏＣｒｙｌ  Ａ−６６２、Ｎｅｏ
Ｃｒｙｌ  Ａ−１０９１、ＮｅｏＣｒｙｌ  Ａ−１０９２、ＮｅｏＣｒｙｌ  Ａ−１０９
３、ＮｅｏＣｒｙｌ  Ａ−１０９４、ＮｅｏＣｒｙｌ  Ａ−２０９１、ＮｅｏＣｒｙｌ  
Ａ−２０９２、ＮｅｏＣｒｙｌ  Ａ−６０１６、ＮｅｏＣｒｙｌ  Ａ−６０５７、Ｎｅｏ
Ｃｒｙｌ  Ａ−６０６９、ＮｅｏＣｒｙｌ  Ａ−６０９２、ＮｅｏＣｒｙｌ  Ａ−６１４
、ＮｅｏＣｒｙｌ  Ａ−５５０、ＮｅｏＣｒｙｌ  Ａ−１１０５、ＮｅｏＣｒｙｌ  Ａ−
１１２５、ＮｅｏＣｒｙｌ  Ａ−１１２７、ＮｅｏＣｒｙｌ  ＸＫ−１２、ＮｅｏＣｒｙ
ｌ  ＸＫ−１６、ＮｅｏＣｒｙｌ  ＸＫ−３０、ＮｅｏＣｒｙｌ  ＸＫ−３６、ＮｅｏＣ
ｒｙｌ  ＸＫ−５２、ＮｅｏＣｒｙｌ  ＸＫ−１９０、ＮｅｏＣｒｙｌ  ＸＫ−１８８、
ＮｅｏＣｒｙｌ  ＸＫ−２４０、ジャパンコーティングレジン社製  リカボンド  ７０２
、リカボンド  ７２７、リカボンド  ７４３Ｎ、リカボンド  ７４５、リカボンド  ７５
２、リカボンド  ８０１、リカボンド  ９４０、リカボンド  ９７２、リカボンド  １７
１１、リカボンド  １７５２、リカボンド  ６５２０、リカボンド  ６７２０、リカボン
ド  ７１１０、リカボンド  ７１８０、リカボンド  ７５２５、リカボンド  ７８２０、
リカボンド  ８０２０、リカボンド  ８０３０、リカボンド  ＤＭ６０、リカボンド  Ｄ
Ｍ７７２、リカボンド  ＤＭ７７４、リカボンド  ＬＤＭ６７４０、リカボンド  ＬＤＭ
７５２２、リカボンド  ＬＤＭ７５２３、リカボンド  ＥＳ−６５、リカボンド  ＥＳ−
９０、リカボンド  ＥＴ−７００、リカボンド  ＥＴ−８３１、リカボンド  ＨＳ−５、
リカボンド  ＨＳ−５３１、リカボンド  ＡＰ−６０１、リカボンド  ＡＰ−９６、リカ
ボンド  ＡＰ−６２０、リカボンド  ＡＰ−７００、リカボンド  ＡＰ−８０、リカボン
ド  ７１０Ａ、リカボンド  ７３０Ｌ、リカボンド  ７３１Ｌ、リカボンド  ９５２Ｂ、
リカボンド  ９６６Ａ、リカボンド  ７３２０、リカボンド  ７４００、リカボンド  Ｆ
Ｋ−４２０、リカボンド  ＦＫ−６４Ｓ、リカボンド  ＦＫ−６６ＩＳ、ＦＫ−６６Ｎ、
ＦＫ−６８Ｈ、リカボンド  ＦＫ−４７１、リカボンド  ＦＫ−４７５、リカボンド  Ｆ
Ｋ−４８９、リカボンド  ＦＫ−２８４、リカボンド  ＦＫ−６００Ｓ、リカボンド  Ｆ
Ｋ−３８３０、リカボンド  ＦＫ−３８４０、リカボンド  ＦＫ−６１００、モビニール
ＶＤＭ７４１０、モビニール  ４０６１、モビニール  ４０８０、モビニール  ４０９
０、モビニール  ４０５０、モビニール  Ｓ−７１、モビニール  ４６１、モビニール  
６５０、モビニール  ＡＰ−６０Ｌ、モビニール  ４９０。
中でもＮｅｏＲｅｚ  Ｒ−９６６、ＮｅｏＲｅｚ  Ｒ−９６７、ＮｅｏＣｒｙｌ  Ａ−
１１２５、ＮｅｏＣｒｙｌ  Ａ−１１２７、リカボンド  ＦＫ−４７１、モビニール  ４
０６１、モビニール  ４０８０、モビニール  ４０９０が油相の分散安定性に優れ、好ま
しい。
【００７８】
安定的なエマルジョンを得るために、乳化工程又は分散工程の前の段階で界面活性剤又
は分散安定剤を添加することが好ましい。界面活性剤としては特に限定はなく、イオン性
でも非イオン性でもよく、低分子でも高分子でもよく、非反応性でも反応性でもよい。
界面活性剤の添加量は特に限定されないが、液晶組成物に対し、０．１質量％以上であ
ることが好ましく、０．５質量％以上であることがより好ましい。また、２０質量％以下
が好ましく、１０質量％以下がより好ましい。界面活性剤が上記の範囲にあることで、エ
マルジョンの分散が安定化するとともに、液晶組成物の粒径を所望の範囲に制御すること
ができる傾向にある。
【００７９】
上記界面活性剤は溶解性に応じて液晶組成物へ添加してもよいし、水を含有する媒体へ
添加してもよい。
界面活性剤の例としては、カルボン酸塩、スルホン酸塩、硫酸エステル塩、リン酸エス
テル塩等のアニオン性界面活性剤；
アミン塩、４級アンモニウム塩等のカチオン性界面活性剤；
アルキルアミノ脂肪酸塩、アルキルアミンオキサイド、ベタイン、スルホベタイン、ア
ミドスルホベタイン、カルボベタイン、イミダゾリン等の両性界面活性剤；
ポリオキシエチレンアルキルエーテル、ポリオキシエチレンアルキルアリールエーテル
、ポリオキシエチレンアラルキルエーテル、ポリオキシエチレンアラルキルアリールエー
テル、ポリオキシエチレンポリオキシプロピレンブロック付加物、アルキルグルコシド、
ポリエーテル変性シリコーン等のエーテル型、グリセリン脂肪酸エステル、ソルビタン脂
肪酸エステル、ショ糖脂肪酸エステル等のエステル型、ポリオキシエチレン脂肪酸エステ
ル、ポリオキシエチレンソルビタン脂肪酸エステル、ポリオキシエチレンショ糖脂肪酸エ
ステル等のエステル・エーテル型、アセチル変性ポリビニルアルコール等のアセチル型、
脂肪酸アルカノールアミド等の非イオン性界面活性剤：等が挙げられる。
この中でもアニオン性界面活性剤は水溶性と分散安定性が高い点で好ましく、特に、ス
ルホン酸塩が好ましい。また、非イオン性界面活性剤は液晶素子の電気的な信頼性を高く
できる傾向があり好ましい。中でもエーテル型又はエステル型が好ましく、ポリオキシエ
チレンアルキルエーテル、ポリオキシエチレンアルキルアリールエーテル、ポリオキシエ
チレンアラルキルエーテル、ポリオキシエチレンアラルキルアリールエーテル、ポリオキ
シエチレンポリオキシプロピレンブロック付加物、アセチル変性ポリビニルアルコール等
が特に好ましい。
【００８０】
分散安定剤としては特に限定はないが、ポリビニルアルコール、ポリビニルピロリドン
、メチルセルロース、ヒドロキシエチルセルロース、ヒドロキシプロピルセルロース、ヒ
ドロキシプロピルメチルセルロース、ポリエチレングリコール、ポリアクリル酸、ポリメ
タクリル酸、ポリウレタン、ポリアミン、ポリアミド、ポリエーテル、マレイン酸共重合
物、ゼラチン、デンプン、キトサン、コーンスターチ等の高分子及びこれらの変性体；
メタクリレート／アクリロニトリル、ウレタン／アクリレート、アクリレート／アクリ
ロニトリル等の共重合体；
シリカ微粒子、チタニア微粒子、アルミナ微粒子等の無機酸化物の微粒子：等が挙げら
れる。この中でもポリビニルアルコール及びこの変性体、ポリウレタン、ポリアミド等が
、分散安定性が高く好ましい。
【００８１】
ポリビニルアルコールのケン化度は、８０ｍｏｌ％以上が好ましく、８５ｍｏｌ％以上
がより好ましい。また、９５ｍｏｌ％以下が好ましく、９１ｍｏｌ％以下がより好ましい
。これらの範囲であることで、水を含有する媒体への溶解度が高い傾向にある。
ポリビニルアルコールの重合度は、１００以上が好ましく、３００以上がより好ましい
。また、２５００以下が好ましく、１０００以下がより好ましい。これらの範囲であるこ
とで、膜が可撓性に優れる傾向にある。
【００８２】
ポリビニルアルコールの具体例としては、日本合成化学社製  ゴーセノール  ＧＬ−０
３、ゴーセノール  ＧＬ−０５、ゴーセノール  ＧＭ−１４Ｌ、ゴーセノール  ＧＭ１４
、ゴーセノール  ＧＨ−１７、ゴーセノール  ＧＨ−２０、ゴーセノール  ＧＨ−２３、
ゴーセノール  ＡＬ−０６、ゴーセノール  Ｐ−６１０、ゴーセノール  Ｃ−５００、ク
ラレ社製  クラレポバール  ２５−８８ＫＬ、クラレポバール  ３２−９７ＫＬ、クラレ
ポバール  ３−８６ＳＤ、クラレポバール  １０５−８８ＫＸ、クラレポバール  ２００
−８８ＫＸ。デンカ社製  デンカポバール  Ｈ−１２、デンカポバール  Ｈ−１７、デン
カポバール  Ｈ−２４、デンカポバール  Ｂ−０５、デンカポバール  Ｂ−１７、デンカ
ポバール  Ｂ−２０、デンカポバール  Ｂ−２４、デンカポバール  Ｂ−３３等が挙げら
れる。
【００８３】
エマルジョン組成物の製造において、乳化法及び分散法は特に限定はなく、攪拌機、ホ
モジナイザー、ホモミキサー、ディスパーサー、高圧乳化機、ブレンダー、コロイドミル
、超音波分散機等を用いた機械的に粒子を破砕する方法；多孔膜、マイクロチャネル、イ
ンクジェット等を用いて液を孔から押し出す方法；等が挙げられる。
上記の中でも、多孔膜を用いて液を孔から押し出す方法（膜乳化法）が、粒子の粒度分
布を精密に制御でき、かつ製造が容易であるため好ましい。多孔膜としては特に制限はな
いが、シラス多孔ガラス等を用いることができる。
【００８４】
エマルジョン組成物には適宜、架橋剤を用いてもよい。架橋剤を用いることで、液晶−
高分子複合膜の耐水性及び耐衝撃性が向上する傾向がある。
架橋剤としては、特に限定はないが、例えば、エチレングリコールジグリシジルエーテ
ル、ポリエチレングリコールジグリシジルエーテル、プロピレングリコールジグリシジル
エーテル、ポリプロピレングリコールジグリシジルエーテル、グリセロールジグリシジル
エーテル、ポリグリセリンポリグリシジルエーテル、ジグリシジルアニリン等のエポキシ
系化合物；
γ−グリシドキシプロピルトリメトキシシラン、γ−グリシドキシプロピルトリエトキ
シシラン、γ−グリシドキシプロピルジメトキシメチルシラン、γ−グリシドキシプロピ
ルジエトキシメチルシラン、β−(３，４−エポキシシクロヘキシル)エチルトリメトキシ
シラン、β−(３，４−エポキシシクロヘキシル)エチルトリエトキシシラン等のエポキシ
シラン系化合物；
３−アミノプロピルトリメトキシシラン、３−アミノプロピルトリエトキシシラン、Ｎ
−(２−アミノエチル)−３−アミノプロピルトリメトキシシラン、Ｎ−（２−アミノエチ
ル）−３−アミノプロピルメチルジメトキシシラン等のアミノシラン系化合物；
γ−メルカプトプロピルトリメトキシシラン等のメルカプトシラン系化合物；
カルボジヒドラジド、シュウ酸ジヒドラジド、アジピン酸ジヒドラジド、セバシン酸ジ
ヒドラジド、イソフタル酸ジヒドラジド等のヒドラジド系化合物；
セミカルバジド樹脂；
ポリカルボジイミド系樹脂；
テトラメチロールメタン−トリス(β−アジリジニルプロピオナート)、トリメチロール
プロパン−トリス(β−アジリジニルプロピオナート)、メチレンビス［Ｎ−（１−アジリ
ジニルカルボニル）−４−アニリン]、Ｎ，Ｎ’−ヘキサメチレンビス（１−アジリジン
カルボアミド）、Ｎ，Ｎ’−ヘキサアミノエチレン−１，６−ビス（１−アジリジンカル
ボキシアミド）等のアジリジン系（エチレンイミノ基含有）化合物；
アセトアセトキシ基含有化合物；オキサゾリン基含有化合物；
ポリエチレンポリアミン；ポリエチレンイミン；ポリアミドポリアミン；ポリアミドポ
リ尿素；アルキル化ポリメチロールメラミン；グリオキザール；
水分散イソシアネート；ブロックドイソシアネート；カルボジイミド基含有化合物；ビ
スビニルスルホン；乳酸チタネート；等が挙げられる。
エポキシ系化合物及びエポキシシラン系化合物を用いる場合には、イミダゾール系化合
物、アミン系化合物、リン系化合物等の触媒を加えてもよい。
上記の中でも、好ましくはヒドラジド系化合物、オキサゾリン基含有化合物、カルボジ
イミド基含有化合物、ブロックドイソシアネートが架橋速度が速く、毒性が低いために好
ましい。
高分子と架橋剤は任意の組み合わせで使用することができるが、ポリウレタンとオキサ
ゾリン基含有化合物、ポリウレタンとカルボジイミド基含有化合物、ポリウレタンとブロ
ックドイソシアネート、ポリアクリルとヒドラジド系化合物の組み合わせが架橋反応性が
高く、好ましい。
【００８５】
架橋剤の添加量は特に限定はないが、架橋される樹脂に対して０．１質量％以上である
ことが好ましく、１質量％以上であることがさらに好ましい。また、２０質量％以下であ
ることが好ましく、１０質量％以下であることがさらに好ましい。架橋剤の添加量が上記
の範囲にあることで、液晶−高分子複合膜の耐水性及び耐衝撃性が向上し、かつ可撓性が
保持される傾向にある。
架橋剤の添加タイミングは、初めからエマルジョン組成物に添加しておく１液型にして
もよく、基板への塗布直前に添加する２液型でもよい。
【００８６】
エマルジョン組成物の粘度は１０ｍＰａ・ｓ以上が好ましく、１００ｍＰａ・ｓ以上が
さらに好ましい。また、１００００ｍＰａ・ｓ以下が好ましく、２０００ｍＰａ・ｓ以下
がさらに好ましい。上記の範囲にあることで、膜厚を均一に塗布することが容易になり、
かつ塗布速度を速くすることができて生産性が高くなる傾向がある。
粘度を上記の範囲に収めるために、増粘剤、チクソ剤、減粘剤等の粘度調整剤を用いて
もよい。粘度調整剤としては特に限定はないが、ポリビニルアルコール、ポリビニルピロ
リドン、メチルセルロース、ヒドロキシエチルセルロース、ヒドロキシプロピルセルロー
ス、ヒドロキシプロピルメチルセルロース、ポリエチレングリコール、ポリアクリル酸、
ポリメタクリル酸、ポリウレタン、ポリアミン、ポリアミド、マレイン酸共重合物、ゼラ
チン、デンプン、キトサン、コーンスターチ等の高分子及びこれらの変性体；メタクリレ
ート／アクリロニトリル、ウレタン／アクリレート、アクリレート／アクリロニトリル等
の共重合体；シリカ微粒子、チタニア微粒子、アルミナ微粒子等の無機酸化物の微粒子等
が挙げられる。上記の中でも、ポリビニルアルコール及びこの変性体、ポリウレタン、ポ
リアミドが、粘度調整と粒子の分散安定性を両立できる傾向にあり、好ましい。
【００８７】
エマルジョン組成物中の液晶組成物の含有量は２０質量％以上が好ましく、３０質量％
以上がさらに好ましい。また、７０質量％以下が好ましく、６５質量％以下がさらに好ま
しい。液晶組成物の含有量が上記範囲内にあることで、エマルジョン組成物を基板へ塗布
した際に生じるハジキが抑制され、かつ液晶組成物の粒径とエマルジョン組成物の粘度を
上記の範囲に収めることが容易になる傾向にある。
【００８８】
エマルジョン組成物に用いる高分子の粒径は、１ｎｍ以上が好ましく、１０ｎｍ以上が
より好ましい。また、１０００ｎｍ以下が好ましく、２００ｎｍ以下がより好ましい。上
記の範囲内にあることで、エマルジョン組成物の粘度を上記の範囲に収めることが容易に
なる傾向にある。また高分子の分子量は１．０×１０３以上が好ましく、１．０×１０４
以上がより好ましい。また、１．０×１０６以下が好ましく、１．０×１０５以下がより
好ましい。上記の範囲内にあることで、エマルジョン組成物の粘度を上記の範囲に収める
ことが容易になる傾向にある。
【実施例】
【００８９】
以下、実施例により本発明を更に詳細に説明するが、本発明は、その要旨を超えない限
り、以下の実施例により限定されるものではない。
【００９０】
［実施例１］
Δｎ＝０．０８、Δε＝＋５．０のネマチック液晶９６質量％と（Ｄ−１）で表される
油溶性（分配係数１より大）のアントラキノン系二色性染料４質量％を混合し、Ｄ−１を
溶解させて青色の液晶組成物（Ｌ−１）を得た。Ｌ−１  ５０質量％に対し、４質量％の
ドデシルベンゼンスルホン酸ナトリウム水溶液を５０質量％加え、シラス多孔質ガラスに
通して乳化し、ｏ／ｗエマルジョン（Ｅ−１）を得た。
ポリウレタン粒子を４０質量％含む水系ラテックスのＮｅｏｒｅｚ  Ｒ−９６７（ＤＳ
Ｍ社製）に水溶性（分配係数が１以下）の染料  ＥｒｉｏｃｈｒｏｍｅＢｌｕｅ  Ｂｌａ
ｃｋ  Ｂを１重量％添加し、撹拌して溶解させ、青色の着色ラテックス（Ｗ−１）を得た
。
Ｅ−１  １００質量部にＷ−１を８４質量部加え、均一になるまで撹拌してエマルジョ
ン組成物（Ｉ−１）を得た。
Ｉ−１中の液晶組成物の平均粒径は５．５μｍ、変動係数は０．５６であった。Ｉ−１
における、水相中に分散又溶解している高分子（Ｐ−１）の質量を１とすると、Ｌ−１の
質量は、１．４４であった。
【００９１】
【化４】
2020126091.tif 000005
【００９２】
基板は、厚さ１２５μｍのＰＥＴフィルム基板上に透明なＩＴＯ電極を製膜したフィル
ムを用いた。この基板のＩＴＯ上に、バーコートでＩ−１をウェット膜厚３０μｍで塗布
し、８０℃で乾燥して液晶−高分子複合膜を得た。
この液晶−高分子複合膜を膜面上から顕微鏡で観察したところ、高分子マトリクス中に
平均粒径６．４μｍ、変動係数０．２４の液晶組成物が分散した構造を有していた。
該フィルムと、もう１枚の基板とを８０℃で向い合せに貼り合わせ、液晶素子（Ｆ−１
）を得た。Ｆ−１は可撓性を有し、ハサミで切断して整形することができた。
【００９３】
Ｆ−１は電圧ＯＦＦ時には青色に着色し、電圧ＯＮ時（５０Ｖｒｍｓ）に透明になるノ
ーマルモード駆動を示した。電圧ＯＦＦ時はヘーズ６７．１％、全光線透過率３７．３％
であった。電圧５０Ｖｒｍｓを印加すると、ヘーズ５．１％、全光線透過率４５．４％に
となった。
【００９４】
［実施例２］
Δｎ＝０．０８、Δε＝＋５．０のネマチック液晶９６質量％と、（Ｄ−１）で表され
る油溶性（分配係数が１より大）のアントラキノン系二色性染料２．４質量％、ＮＥＭＡ
ＴＥＬ社製  油溶性（分配係数が１より大）のアントラキノン系二色性染料  ＡＧ１  １
．８重量％、ＮＥＭＡＴＥＬ社製  油溶性（分配係数が１より大）のアントラキノン系二
色性染料  ＡＲ１  １．８重量％を混合し、撹拌して染料を溶解させて黒色の液晶組成物
（Ｌ−２）を得た。Ｌ−２  ５０質量％に対し、４質量％のドデシルベンゼンスルホン酸
ナトリウム水溶液を５０質量％加え、シラス多孔質ガラスに通して乳化し、ｏ／ｗエマル
ジョン（Ｅ−２）を得た。
ポリウレタン粒子を４０質量％含む水系ラテックスのＮｅｏｒｅｚ  Ｒ−９６７（ＤＳ
Ｍ社製）に水溶性（分配係数が１以下）の染料  ＥｒｉｏｃｈｒｏｍｅＢｌｕｅ  Ｂｌａ
ｃｋ  Ｂを１重量％および水溶性（分配係数が１以下）の染料  Ｒｅｍａｚｏｌ  Ｂｌａ
ｃｋ  Ｂを１重量％添加し、撹拌して溶解させ、黒色の着色ラテックス（Ｗ−２）を得た
。
Ｅ−２  １００質量部にＷ−２を８４質量部加え、均一になるまで撹拌してエマルジョ
ン組成物（Ｉ−２）を得た。
Ｉ−２中の液晶組成物の平均粒径は６．２μｍ、変動係数は０．５８であった。Ｉ−２
における、水相中に分散又溶解している高分子（Ｐ−１）の質量を１とすると、Ｌ−２の
質量は、１．４９であった。
【００９５】
Ｉ−２を用い、実施例１と同様にして液晶素子（Ｆ−２）を得た。Ｆ−２の液晶−高分
子複合膜を膜面上から顕微鏡で観察したところ、高分子マトリクス中に平均粒径５．１μ
ｍ、変動係数０．２８の液晶組成物が分散した構造を有していた。Ｆ−２は可撓性を持ち
、ハサミで切断して整形することができた。
Ｆ−２は電圧ＯＦＦ時には黒色に着色し、電圧ＯＮ時（５０Ｖｒｍｓ）に透明になるノ
ーマルモード駆動を示した。電圧ＯＦＦ時はヘーズ６２．９％、全光線透過率２１．６％
であった。電圧５０Ｖｒｍｓを印加すると、ヘーズ４．３％、全光線透過率３３．９％と
なった。
【００９６】
［比較例１］
Δｎ＝０．０８、Δε＝＋５．０のネマチック液晶９６質量％と（Ｄ−１）で表される
油溶性（分配係数が１より大きい）のアントラキノン系二色性染料４質量％を混合し、Ｄ
−１を溶解させて青色の液晶組成物（Ｌ−１）を得た。Ｌ−１  ５０質量％に対し、４質
量％のドデシルベンゼンスルホン酸ナトリウム水溶液を５０質量％加え、シラス多孔質ガ
ラスに通して乳化し、ｏ／ｗエマルジョン（Ｅ−１）を得た。
Ｅ−１  １００質量部にポリウレタン粒子を４０質量％含む水系ラテックスのＮｅｏｒ
ｅｚ  Ｒ−９６７（ＤＳＭ社製）を８４質量部加え、均一になるまで撹拌してエマルジョ
ン組成物（Ｉ−３）を得た。
Ｉ−１中の液晶組成物の平均粒径は６．２μｍ、変動係数は０．５７であった。Ｉ−３
における、水相中に分散又溶解している高分子（Ｐ−１）の質量を１とすると、Ｌ−１の
質量は、１．４９であった。
【００９７】
Ｉ−３を用い、実施例１と同様にして青色の液晶素子（Ｆ−３）を得た。Ｆ−３の液晶
−高分子複合膜を膜面上から顕微鏡で観察したところ、高分子マトリクス中に平均粒径７
．６μｍ、変動係数０．２５の液晶組成物が分散した構造を有していた。Ｆ−３は可撓性
を持ち、ハサミで切断して整形することができた。
Ｆ−３は電圧ＯＦＦ時には黒色に着色し、電圧ＯＮ時（５０Ｖｒｍｓ）に透明になるノ
ーマルモード駆動を示した。電圧ＯＦＦ時はヘーズ５０．１％、全光線透過率６０．１％
であった。電圧５０Ｖｒｍｓを印加すると、ヘーズ２．１％、全光線透過率７６．３％と
なった。
Ｆ−２は電圧ＯＦＦ時には黒色に着色し、電圧ＯＮ時（５０Ｖｒｍｓ）に透明になるノ
ーマルモード駆動を示した。電圧ＯＦＦ時はヘーズ６２．９％、全光線透過率２１．６％
であった。電圧５０Ｖｒｍｓを印加すると、ヘーズ４．３％、全光線透過率３３．９％と
なった。